(57)【要約】【課題】従来の冷蔵庫の製氷装置は、冬場など水道水の温度が下がる場合は、熱量が足りず離氷できない可能性がある。また、霜取りヒータの熱を利用して水道水の加熱を行うとしているが、霜取り時以外の通常運転時は加熱することができず、実際の離氷に際しては信頼性が足りないという課題があった。【解決手段】給水手段３５と、製氷皿４０と、製氷皿４０を回転させる製氷メカ４１と、製氷皿４０と製氷メカ４１が取り付けられたハウジング４３とからなり、製氷皿４０に第一の製氷部４７と、その反対面に第二の製氷部４８を設け、第一の製氷部４７と第二の製氷部４８を上下に分離して配置し、一方の製氷部に給水することにより、給水の熱でもって給水された片側の製氷部を膨張させ、製氷皿４０を微小変形させ離氷させる。これにより、給水の熱による氷の融解だけに頼らす、離氷の信頼性を高めた製氷装置と冷蔵庫を提供できる。【選択図】図４
2013204826.tif 000002
【特許請求の範囲】
【請求項１】
冷蔵室内に配置された給水タンクと、前記給水タンクから水を送出する給水ポンプと、前記給水ポンプに接続され下方に水を搬出する給水パイプと、製氷室内に配置された製氷皿と、前記製氷皿を回転駆動させる製氷メカと、前記製氷メカに設けられ氷の有無を検知する検氷レバーと、前記製氷皿と前記製氷メカが取り付けられたハウジングと、を備えた製氷装置において、前記製氷皿の片面に第一の製氷部を設け、前記第一の製氷部の反対面には第二の製氷部を設け、前記第一の製氷部と前記第二の製氷部を上下に分離させて配置したことを特徴とする冷蔵庫。
【請求項２】
前記第一の製氷部と前記第二の製氷部との間に断熱部を設けたことを特徴とする請求項１に記載の冷蔵庫。
【請求項３】
前記ハウジングの天面に冷気吐出口を設け、前記冷気吐出口は前記製氷皿より上方に位置することを特徴とする請求項１または２に記載の冷蔵庫。
【請求項４】
前記製氷皿に給水後、一定時間冷気の送風を停止することを特徴とする請求項１から３のいずれか一項に記載の冷蔵庫。
【請求項５】
製氷完了後、前記製氷皿を回転させ氷を離氷させる際、前記製氷皿に揺動動作を加えることを特徴とする請求項１から４のいずれか一項に記載の冷蔵庫。
【請求項６】
前記第一の製氷部と、前記第二の製氷部に撥水表面処理を施したことを特徴とする請求項１から５のいずれか一項に記載の冷蔵庫。
【発明の詳細な説明】
【技術分野】
【０００１】
本発明は、家庭用冷凍冷蔵庫の製氷装置において、製氷された氷を効率的に製氷皿から離氷させる技術に関するものである。
【背景技術】
【０００２】
従来、この種の冷蔵庫の製氷装置としては、製氷皿の両面に製氷区画を設け、給水時の熱を利用して氷の離氷を容易にするものがある（例えば特許文献１参照）。
【０００３】
図１１、図１２、図１３は、特許文献１に記載された従来の製氷装置を示すものである。
【０００４】
図１１〜図１２において、製氷装置５４は冷凍冷蔵庫のフリーザ５５内に配置されており、ハウジング５６を有している両面角氷トレイ５７を含んでいる。ハウジング５６の第一の側面５８には、第一の角氷キャビティ５９が設けられている。ハウジング５６の第二の側面６０には、第二の角氷キャビティ６１が設けられている。
【０００５】
また製氷装置５４には、ブラケット６２によってフリーザ５５に取り付けられているソレノイド６３が設けられており、プランジャ６４、ピニオン６５、第一の端シャフト６６を介してハウジング５６を回転させる。
【０００６】
製氷装置５４には更に注水管６７を含んでおり、配管６８から供給された所定量の水を第一の角氷キャビティ５９、もしくは第二の角氷キャビティ６１に注水する。また、配管６８に近接して霜取り用のヒータ６９が配置されており、給水する水を適宜加熱する。
【０００７】
図１３に示す様に、第一の角氷キャビティ５９の側面７０と、第二の角氷キャビティ６１の側面７１は互いに隣接している。
【０００８】
配管６８及び注水官６７を経由して供給された水が第一の角氷キャビティ５９に貯水され、フリーザ５５内の冷気によって製氷される。製氷完了後、ソレノイド６３等の回転手段によってハウジング５６が回転し、第一の角氷キャビティ５９が下向きとなり、空の第二の角氷キャビティ６１は上向きになる。ここで、再度注水官６７から水が第二の角氷キャビティ６１に供給される。供給された水の熱は側面７１、側面７０を介して第一の角氷キャビティ５９内の氷に伝えられる。この熱により、第一の角氷キャビティ５９内の氷表面を融かし、氷を第一の角氷キャビティから離脱させることを助けるとしている。
【先行技術文献】
【特許文献】
【０００９】
【特許文献１】特開平８−１８９７３７号公報
【発明の概要】
【発明が解決しようとする課題】
【００１０】
しかしながら、前記従来の構成では、水道水の熱を利用しての離氷促進を目論んでいるが、冬場などで水道水の温度が下がる場合は熱量が足りず、離氷できない可能性がある。また、霜取り用ヒータの熱を利用して水道水の加熱を行う旨の記述もあるが、霜取り時以外の通常運転時には通電することができない。したがって、従来の構成は実際の離氷に際して信頼性が足りないという課題があった。
【００１１】
本発明は前記従来の課題を解決するもので、給水の熱による氷の融解だけに頼らず、離氷の信頼性を高めた製氷装置と冷蔵庫を提供することを目的とする。
【課題を解決するための手段】
【００１２】
前記従来の課題を解決するために、本発明の冷蔵庫は、冷蔵室内に配置された給水タンクと、前記給水タンクから水を送出する給水ポンプと、前記給水ポンプに接続され下方に水を搬出する給水パイプと、製氷室内に配置された製氷皿と、前記製氷皿を回転駆動させる製氷メカと、前記製氷メカに設けられ氷の有無を検知する検氷レバーと、前記製氷皿と前記製氷メカが取り付けられたハウジングと、を備えた製氷装置において、前記製氷皿の片面に第一の製氷部を設け、前記第一の製氷部の反対面には第二の製氷部を設け、前記第一の製氷部と前記第二の製氷部を上下に分離させて配置したものである。
【００１３】
これにより、第一の製氷部、あるいは第二の製氷部の一方の製氷部に給水する際の給水の熱でもって片側の製氷部を膨張させ、前記製氷皿を微小変形させることにより離氷性を高めることができる。
【発明の効果】
【００１４】
本発明の冷蔵庫は、製氷に際し、製氷皿を物理的に変形させることで離氷性高めることができ、冷蔵庫の製氷信頼性を高めることができる。
【図面の簡単な説明】
【００１５】
【図１】本発明の実施の形態１における冷蔵庫の正面図
【図２】本発明の実施の形態１における冷蔵庫の側面断面図
【図３】本発明の実施の形態１における給水手段及び製氷装置を示す要部断面図
【図４】本発明の実施の形態１における製氷装置の斜視図
【図５】本発明の実施の形態１における製氷装置の斜視分解図
【図６】本発明の実施の形態１における製氷装置の側面断面図
【図７】本発明の実施の形態１における製氷状態を示す製氷皿の要部断面図
【図８】本発明の実施の形態１における離氷状態を示す製氷皿の側面断面図
【図９】本発明の実施の形態２における製氷皿の要部斜視断面図
【図１０】本発明の実施の形態３における製氷皿の要部斜視断面図
【図１１】従来の製氷装置の側面断面図
【図１２】従来の製氷装置における製氷皿の平面図
【図１３】従来の製氷装置における離氷状態を示す製氷皿の側面断面図
【発明を実施するための形態】
【００１６】
第１の発明は、冷蔵室内に配置された給水タンクと、前記給水タンクから水を送出する給水ポンプと、前記給水ポンプに接続され下方に水を搬出する給水パイプと、製氷室内に配置された製氷皿と、前記製氷皿を回転駆動させる製氷メカと、前記製氷メカに設けられ氷の有無を検知する検氷レバーと、前記製氷皿と前記製氷メカが取り付けられたハウジングと、を備えた製氷装置において、前記製氷皿の片面に第一の製氷部を設け、前記第一の製氷部の反対面には第二の製氷部を設け、前記第一の製氷部と前記第二の製氷部を上下に分離させて配置したものであり、一方の製氷部に給水する際の給水の熱でもって片側の製氷部を膨張させ、前記製氷皿を微小変形させることにより離氷性を高めることができ、冷蔵庫の製氷信頼性を高めることができる。
【００１７】
第２の発明は、第１の発明において、前記第一の製氷部と前記第二の製氷部との間に断熱部を設けたものであり、給水時の熱が反対面の製氷区画へ伝熱することを抑制し、前記製氷皿の変形を増大させる作用と、氷の成長方向を上方から下方に制御し、製氷過程で製氷区画内面から剥離させる作用を有し、製氷された氷をより確実に離氷させることができ
る。
【００１８】
第３の発明は、第１の発明または第２の発明において、前記ハウジングの天面に冷気吐出口を設け、前記冷気吐出口は前記製氷皿より上方に位置するものであり、製氷区画内の氷が上方から下方に向かって成長することを促進する作用を有し、製氷された氷をより確実に離氷させることができる。
【００１９】
第４の発明は、第１から第３のいずれか一つの発明において、前記製氷皿に給水後、一定時間冷気の送風を停止するものであり、給水時の熱が冷気の送風によって奪われることを抑制し、伝熱による前記製氷皿の変形を十分行わせ、製氷された氷をより確実に離氷させることができる。
【００２０】
第５の発明は、第１から第４のいずれか一つの発明において、製氷完了後、前記製氷皿を回転させ氷を離氷させる際、前記製氷皿に揺動動作を加えるものであり、製氷区画内面からの氷の剥離を促進し、製氷された氷をより確実に離氷させることができる。
【００２１】
第６の発明は、第１から第５のいずれか一つの発明において、前記第一の製氷部と、前記第二の製氷部に撥水処理を施したものであり、製氷区画内面からの氷の剥離を促進し、製氷された氷をより確実に離氷させることができる。
【００２２】
以下、本発明の実施の形態について、図面を参照しながら説明する。なお、この実施の形態によって本発明が限定されるものではない。
【００２３】
（実施の形態１）
図１は、本発明の実施の形態１における冷蔵庫の正面図である。図２は、本発明の実施の形態１における冷蔵庫の側面断面図である。図３は、本発明の実施の形態１における給水手段及び製氷装置を示す要部断面図である。
【００２４】
図１〜図３において、冷蔵庫１には保存する食品の種類、期間によって最適に温度調節された貯蔵室、すなわち冷蔵温度に調整された冷蔵室２と、冷凍温度に調整された製氷室３と、上段冷凍室４と、下段冷凍室５と、冷蔵温度に調整された野菜室６が配置されている。
各貯蔵室には、貯蔵室の前面開口部を閉塞し食品の出し入れを可能にする扉、すなわち冷蔵室左扉７と、冷蔵室右扉８と、製氷室扉９と、上段冷凍室扉１０と、下段冷凍室扉１１と、野菜室扉１２が配置されている。この内、冷蔵室左扉７と冷蔵室左扉８は端部が軸支された回転式扉であり、他の製氷室扉９と、上段冷凍室扉１０と、下段冷凍室扉１１と、野菜室扉１２は手前方向に直線的に開閉できる引出式扉である。
【００２５】
冷蔵室２と製氷室３の間、また冷蔵室２と上段冷凍室４の間は、断熱性を有する第一の仕切壁１３で区切られている。また、同様に下段冷凍室５と野菜室６の間は、断熱性を有する第二の仕切壁１４で区切られている。さらに、製氷室３及び上段冷凍室４と下段冷凍室５は、断熱性を有する仕切体１５で区切られている。この仕切体１５は冷凍室の全幅に亘って設けられている。また図示しないが、製氷室３と上段冷凍室４間も仕切壁で区切られている。これら、製氷室３と、上段冷凍室４と、下段冷凍室５は、貯蔵空間としては区切られているが、貯蔵室内空気としては相互に連通しており、ほぼ同一の冷凍温度に調節されている。
【００２６】
冷蔵室２内には食品を載置する複数の冷蔵室棚１６が設けられ、冷蔵室左扉７及び冷蔵室右扉８には複数のドア棚１７が設けられている。また、製氷室３内には氷を貯蔵する貯氷ケース１８が設けられ、上段冷凍室４内には第一の冷凍ケース１９が設けられている。
また、下段冷凍室５内には第二の冷凍ケース２０と第三の冷凍ケース２１が設けられており、第三の冷凍ケース２１は第二の冷凍ケース２０の上を前後方向に摺動可能な構造となっている。また、野菜室６内には第一の野菜ケース２２と第二の野菜ケース２３が設けられており、第二の野菜ケース２３は第一の野菜ケース２２の上を前後方向に摺動可能な構造となっている。
【００２７】
冷蔵庫１の背面上部には圧縮機２４が配置され、冷媒配管（図示せず）によって凝縮器（図示せず）、キャプラリチューブ（図示せず）、蒸発器２５と連結されている。また、蒸発器２５の下部には霜取ヒータ２６が備えられている。
【００２８】
蒸発器２５の前面は蒸発器カバー２７で覆われており、さらにその前方には冷凍室ダクト２８が配置されている。また、蒸発器カバー２７には各貯蔵室に冷気を送出する冷凍ファン２９が設けられている。第一の仕切壁１３内の後部には、冷蔵室２内への冷気の量を可変させる風路ダンパー３０が設けられている。また、冷蔵室２の背面には冷蔵室ダクト３１が設けられており、風路ダンパー３０を通過した冷気を冷蔵室２内に導入し、各冷蔵室棚１６間に向けて分配する機能を果たしている。また、野菜室６の背面には野菜室ダクト３２が設けられており、冷凍室ダクト２８の一部を通過した冷気を野菜室６内に導入する機能を果たす。
【００２９】
冷蔵庫１の下部には、霜取りヒータ２６により除霜された水を貯水し蒸発させる蒸発皿３３が配置されている。
【００３０】
冷蔵庫１の背面には制御基板３４が設けられており、圧縮機２４、冷凍室ファン２９、風路ダンパー３０、及び後述する給水手段３５と製氷装置３６とハーネス（図示せず）により電気的に接続されており、各デバイスの動作を制御する役割を果たしている。
【００３１】
給水手段３５は冷蔵室２の下部左側、第一の仕切壁１３の上に配置され、給水タンク３７と、給水ポンプ３８と、給水パイプ３９から構成されている。給水パイプ３９は給水ポンプ３８から下方に向けて配管され、第一の仕切壁１３内を通って製氷室３内に開口している。
【００３２】
製氷装置３６は製氷皿４０と、製氷皿４０を回転させる製氷メカ４１と、製氷メカに取り付けられて氷の貯蔵量を検知する検氷レバー４２と、製氷皿４０と製氷メカ４１を保持するハウジング４３から構成されている。
【００３３】
図４は、本発明の実施の形態１における製氷装置の斜視図である。図５は、本発明の実施の形態１における製氷装置の分解斜視図である。図６は、本発明の実施の形態１における製氷装置の側面断面図である。
【００３４】
図４〜６において、製氷メカ４１の駆動軸４４は、製氷皿４０の後端に連結されており、製氷メカ４１の動作に伴い製氷皿４０を回転させる。また、製氷皿４０の前端には軸４５が設けられており、ハウジングの軸受け部４６に挿入されている。
【００３５】
製氷皿４０は、複数の製氷区画からなる第一の製氷部４７と、同様に複数の製氷区画からなる第二の製氷部４８を備え、第一の製氷部４７と第二の製氷部４８の間には断熱部４９が設けられている。製氷皿４０の素材としては伝熱性の良好なものが好ましく、アルミもしくは良熱伝導性の樹脂を用いると良い。また、断熱部４９には発泡ポリエチレンなどの素材を封入しても良いし、空気層を形成しても良い。また、第一の製氷部４７と第二の製氷部４８内の複数の製氷区画内面には撥水処理が施されている。
【００３６】
ハウジング４３の天面には、給水パイプ３９からの水を受ける給水溝５０が形成されている。この給水溝５０には、第一の製氷部４７ないし第二の製氷部４８の各製氷区画に対応して複数の給水口５１が設けられており、各製氷区画への個別給水を可能としている。また、ハウジング４３天面後方には冷気吐出口５２が設けられ、第一の仕切壁１３内に設けられた製氷ダクト５３に接続され、冷凍ファン２９により送出された冷気が製氷皿４０の上部まで導かれる。
【００３７】
図７は、本発明の実施の形態１における製氷状態を示す製氷皿の要部断面図である。
【００３８】
図７において、状態Ａは第一の製氷部４７へ給水を行った直後の状態を示し、状態Ｂは第一の製氷部４７内での製氷完了後の状態を示している。
【００３９】
図８は、本発明の実施の形態１における離氷状態を示す製氷皿の側面断面図である。
【００４０】
図８において、状態Ｃは第一の製氷部４７内での製氷完了後、製氷皿４０を反転させた状態を示し、状態Ｄは製氷皿４０の反転後、第二の製氷部４８へ給水し、第一の製氷部４７内から氷を離氷させている状態を示している。
【００４１】
以上のように構成された冷蔵庫において、以下その動作、作用を説明する。
【００４２】
冷蔵庫１に構成された冷却システム、すなわち、圧縮機２４、凝縮器（図示せず）、キャピラリチューブ（図示せず）、蒸発器２５、及び圧縮機２４を制御する制御基板３４の動作にて蒸発器２５において空気が冷却される。
【００４３】
生成された冷気は、冷凍ファン２９の動作により蒸発器カバー２７の外側に送出される。送出された冷気の内、一部は上方に送出され、風路ダンパー３０を通過し、冷蔵室ダクト３１により冷蔵室棚１６間の空間に分配され吐出される。この時、風路ダンパー３０は制御基板３４によって開閉を制御されており、冷蔵室２内を適切な温度に調整する役割を果たしている。冷蔵室２内の貯蔵物を冷却した冷気は、再び冷蔵室ダクト３１に設けられた吸入口（図示せず）を通り、帰還風路（図示せず）を通り蒸発器２５下部まで導かれ、再び蒸発器２５にて冷却される。
【００４４】
冷凍ファン２９から送出された冷気は、一部が前方に分岐され、冷凍室ダクト２８を通って上段冷凍室４、下段冷凍室５内部に送出される。この冷気により、第一の冷凍ケース１９、第二の冷凍ケース２０、第三の冷凍ケース２１内の貯蔵物が冷却され、庫内を循環した冷気は、冷凍室ダクト２８下部の吸入口を通り蒸発器２５に帰還する。
【００４５】
同じく、冷凍ファン２９から送出された冷気の一部は、野菜室ダクト３２から野菜室６内部に吐出され、第一の野菜ケース２２、第二の野菜ケース２３内の貯蔵物を冷却し、第二の仕切壁１４内に設けられた野菜室帰還風路（図示せず）を通じて蒸発器２５に帰還する。
【００４６】
冷凍ファン２９から上方に送出された冷気の内、さらに一部が製氷ダクト５３を通じて送出され、冷気吐出口５２を通り、製氷装置３６内、さらには製氷室３内部に吐出される。この冷気により製氷皿４０内の水を凍結させ、貯氷ケース１８内部の保存氷を冷却しつつ、冷凍室ダクト２８下部の吸入口から蒸発器２５に帰還する。
【００４７】
次に製氷に関する動作を説明する。
【００４８】
制御基板３４の指示により給水ポンプ３８が動作し、給水タンク３７内の水を給水パイ
プ３９に向けて送出する。給水パイプ３９を通過した水はハウジング４３天面に設けられた給水溝５０に注がれ、複数の給水口５１を通り第一の製氷部４７内の複数の製氷区画に供給される。この時、複数の給水口５１は、相対する複数の製氷区画に個別に給水され、隣接する製氷区画間の水の移動はない。
【００４９】
製氷区画内に給水された水は、周囲から熱を奪われて凍結が進行するが、製氷皿４０の第一の製氷部４７と第二の製氷部４８の間には断熱部４９が設けられており、さらに冷気吐出口５２は製氷皿４０の上方に位置し、冷気は第一の製氷部４７の上方を流れるため、製氷区画の上方から下方に向けて凍結していく。（図７、状態Ａ）このため、氷は凍結進行に従い下方に凸状態に変形していく。その結果、製氷区画内で若干浮き上がった状態となり、製氷区画内面からの剥離が容易になる。（図７、状態Ｂ）
このようにして第一の製氷部４７内の水が凍結し、何らかの手段により製氷完了を検知すれば、制御基板３４の指示により製氷メカ４１が駆動され、製氷皿４０が反転する。（図８、状態Ｃ）この状態にて再度、給水ポンプ３８が動作し、今度は第二の製氷部４８の複数の製氷区画内に給水される。この時、製氷皿４０は冷凍雰囲気下に配置されており、その温度はおおよそ−１８℃〜−２０℃となっている。一方、給水タンク３７は冷蔵雰囲気下に配置されており、給水タンク３７内部の水はおおよそ３℃〜５℃に保たれている。第二の製氷部４８への給水直後の水と製氷皿４０の温度差は、２１Ｋ〜２５Ｋ程度あり、この温度差により第二の製氷部４８は熱膨張する。
【００５０】
一方、第一の製氷部４７は、断熱部４９があることにより給水の熱が伝わりにくく、第二の製氷部４８に比べて熱膨張のタイミングが遅れる。その結果、第二の製氷部４８は上方に凸状態に反り、反対に第一の製氷部４７は下方に凹状態に反ることになる。この下方へ凹状態に変形することにより、第一の製氷部４７の製氷区画内面が変形し、凍結した氷に製氷区画内からの脱氷を促進する力を加えることになる。製氷区画内の氷は、図７、状態Ｂに示すように若干浮き上がっており、製氷区画内面の変形とあいまって下方に離氷され、貯氷ケース１８内に貯蔵される。（図８、状態Ｄ）この製氷動作は自動的に連続して行われるが、貯氷ケース１８内の氷の量は、検氷レバー４２によって定期的に計量されており、規定量に達した場合は製氷動作を一時停止するよう制御される。
【００５１】
このようにして、給水の熱による製氷皿４０の変形を利用して離氷を行うのであるが、給水前、ないし給水後一定時間は冷凍ファン２９の動作を止め、冷気による製氷皿４０の冷却を抑制する。こうすることにより、給水の熱による第二の製氷部４８の熱膨張を確実なものにしている。
【００５２】
また、製氷皿４０を反転させ、第二の製氷部４８に給水した時点で製氷メカ４１を駆動し、製氷皿４０をある一定の角度で複数回にわたって揺動させる。これにより、第一の製氷部４７内の製氷区画にある氷の脱氷を促進する。尚、製氷皿４０の揺動角度は、第二の製氷部４８内の製氷区画に給水した水がこぼれない程度の角度に設定されている。
【００５３】
第一の製氷部４７及び第二の製氷部４８内の複数の製氷区画は、その表面に撥水処理が施されているため、製氷区画内面と凍結した氷との摩擦が少なくなり、氷を製氷区画内面から容易に剥離させることが可能となっている。
【００５４】
以上のように、本実施の形態においては、製氷皿に第一の製氷部と、その反対面に第二の製氷部を設け、前記第一の製氷部と前記第二の製氷部を上下に分離して配置し、製氷部の製氷区画の一方に給水することにより、給水の熱でもって片側の製氷部を膨張させる。これにより前記製氷皿を微小変形させることができ、給水の熱による氷の融解だけに頼らず確実に氷を脱氷させ、信頼性の高い離氷を実現できる。
【００５５】
また、本実施の形態においては、前記第一の製氷部と前記第二の製氷部の間に断熱部を配置し、給水の熱が下方の製氷部に伝熱することを抑制することや、給水後一定時間は冷気の送風を停止し、給水の熱が送風冷気によって奪われることを防止することにより、前記製氷皿の変形を増大させ、より確実に離氷させることができる。また、製氷部内の製氷区画下部に前記断熱部があることや、冷気の吐出口を前記製氷皿の上部に設けたことにより、氷の成長方向を上方から下方へ制御することができ、製氷区画内壁から氷を剥離させる作用も有し、より確実な離氷が実現できる。
【００５６】
また、本実施の形態においては、前記第一の製氷部と前記第二の製氷部に撥水処理を行い、さらには、離氷の際に製氷メカの動作によって前記製氷皿に揺動動作を加えるため、凍結した氷の製氷区画内面からの剥離を促進させる作用を有し、より確実な離氷が実現できる。
【００５７】
（実施の形態２）
図９は、本発明の実施の形態２における製氷皿の要部斜視断面図である。
【００５８】
図９において、製氷皿４０は実施の形態１の場合と同様に、複数の製氷区画からなる第一の製氷部４７と、第二の製氷部４８とを備えており、第一の製氷部４７と第二の製氷部４８の間には断熱部４９が設けられている。本実施の形態においては、第一の製氷部４７と第二の製氷部４８内の製氷区画が、回転軸に平行して長手方向に一列に並んでいる。実施の形態１の場合は回転軸に平行して複数列を持っているが、一列に並べることにより、製氷皿４０の回転領域を小さく構成することができ、省スペースな製氷装置を実現することができる。尚、本実施の形態における動作、作用、効果は実施の形態１と同様であるので、説明は省略する。
【００５９】
（実施の形態３）
図１０は、本発明の実施の形態３における製氷皿の要部斜視断面図である。
【００６０】
図１０において、製氷皿４０は実施の形態１の場合と同様に、複数の製氷区画からなる第一の製氷部４７と、第二の製氷部４８を備えている。本実施の形態においては、製氷皿４０は一体で成形されており、内部に空気層を備え、第一の製氷部４７と第二の製氷部４８の間を空気断熱している。尚、製氷皿４０の成形方法としては、樹脂ブロー成形やガスアシスト射出成形等が考えられるが、互いの製氷部間に空気層があればその作用効果に変わりはない。その他に通常の射出成形で成形した二つの製氷皿を貼り合せ、もしくは双方を固定して空気層を形成しても良い。このような成形方法を取ることにより、部品の重量削減、部品点数削減が図れ、簡素で低コストな製氷皿を備えた製氷装置を提供することができる。尚、本実施の形態における動作、作用、効果は実施の形態１と同様であるので、説明は省略する。
【産業上の利用可能性】
【００６１】
以上のように、本発明にかかる冷蔵庫は、信頼性の高い離氷ができる製氷装置を備えているので、家庭用の冷蔵庫のみならず、業務用の製氷機や、各種工業用の製氷装置等への適用が可能である。
【符号の説明】
【００６２】
１  冷蔵庫
２  冷蔵室
３  製氷室
３５  給水手段
３６  製氷装置
３７  給水タンク
３８  給水ポンプ
３９  給水パイプ
４０  製氷皿
４１  製氷メカ
４２  検氷レバー
４３  ハウジング
４７  第一の製氷部
４８  第二の製氷部
４９  断熱部
５２  冷気吐出口
【図１】
2013204826.tif 000003
【図２】
2013204826.tif 000004
【図３】
2013204826.tif 000005
【図４】
2013204826.tif 000006
【図５】
2013204826.tif 000007
【図６】
2013204826.tif 000008
【図７】
2013204826.tif 000009
【図８】
2013204826.tif 000010
【図９】
2013204826.tif 000011
【図１０】
2013204826.tif 000012
【図１１】
2013204826.tif 000013
【図１２】
2013204826.tif 000014
【図１３】
2013204826.tif 000015